(57)【要約】  迅速に、安全に、及びコスト効率よく組み立て可能な、磁気吸着のラチェット装置。本発明の装置は、有利には、適宜の弾性突起及びこれに対応するスロットを備え、これらは、幾つかの筒状好ましくは円筒状の部品の表面に設けられており、これにより、迅速及び安全な組み立てが可能になる。
2010502868.tif 000002
【特許請求の範囲】
【請求項１】
家具部品の可動部分（４）のためのスナップタイプの開閉装置であって、
開放端を有し、前記開閉装置の部品を収容する内部空間を形成する、筒状ケーシング（８，１７，１８）を備えており、
前記ケーシング（１７）は、前記開放端に関する末端部（１７）、前記開放端に関する基部（１８）、及び前記末端部（１７）と前記基部（１８）との間に位置する中央部（８）を有しており、
前記末端部（１７）は前記中央部（８）に適合されており、該中央部（８）は前記基部（１８）に適合されている、
ことを特徴とする、家具部品の可動部分のためのスナップタイプの開閉装置。
【請求項２】
前記適合末端部（１７）の外面には、前記中央部（８）の表面に配置されている第１スロット（２２）に対応して、第１の弾性突起（２１）が設けられており、前記適合中央部（８）の外面には、前記基部（１８）の表面に配置されている第２スロット（２４）に対応して、第２の弾性突起（２３）が設けられていることを特徴とする、請求項１に記載の開閉装置。
【請求項３】
前記適合基部（１８）の内面には、前記中央部（８）の表面に配置されている第１スロットに対応して、第１の弾性突起が設けられており、前記適合中央部（８）の内面には、前記末端部（１７）の表面に配置されている第２スロット（２４）に対応して、第２の弾性突起（２３）が設けられていることを特徴とする、請求項１に記載の開閉装置。
【請求項４】
前記筒状ケーシングは実質上円筒形状を持つことを特徴とする、請求項２または３に記載の開閉装置。
【請求項５】
前記第１及び第２の突起は、それぞれの表面にて、径方向に反対向きに突出する、弾性を有する歯またはコッタまたはフックであることを特徴とする、請求項２または３に記載の開閉装置。
【請求項６】
前記開閉装置の部品は、
−開閉方向における並進駆動が可能で、該並進と同時に軸の周りで回転するように構成されている、細長いスライダー（５）、
−前記スライダー（５）と同軸状に配置され、前記可動部分（４）を閉位置に固定させるように構成された磁気エレメント（６）、
−前記スライダー（５）の端部と前記ケーシングの底部（１７）を形成する前記末端部との間に配置され、前記底部上にて前記スライダー（５）に弾性力を作用させてそれを開方向に並進させるように構成された、弾性手段（１４）、及び、
−前記スライダー（５）を回転させ並進させるためのカム動作手段（１０）、
を含むことを特徴とする、請求項１乃至５の何れか一項に記載の開閉装置。
【請求項７】
前記カム動作手段（１０）は、前記スライダー（５）に設けられた突起（１１，１２）を備えており、該突起（１１，１２）は前記ケーシングの中央部（８）の内面に形成されたカムエレメント（１３）と相互作用する傾斜前面を備えており、これにより、前記弾性手段（１４）のバイアス下での前記スライダー（５）の回転及び前記開閉位置の間での並進を引き起こすように構成されていることを特徴とする、請求項６に記載の開閉装置。
【請求項８】
前記弾性手段（１４）は、前記底部（１７）の中央孔内に対応第１端部が収容されているスプリングを有しており、該スプリングの対応第２端部がタペット（１５）に当接しており、該タペット（１５）は、その前部に前記スライダー（５）の容易回転を可能となす球状キャップ（１６）を備えていることを特徴とする、請求項７に記載の開閉装置。
【請求項９】
前記基部（１８）は、前記磁気エレメント（６）の対応ステップ（１９’）のための係止部を形成する内部ネック（１９）、及び、家具部品上の又はアダプター（２）上の前記開閉装置の正しいアセンブリー位置の境界を定めるように拡張された外側フランジ（２０）を備えたスリーブであることを特徴とする、請求項８に記載の開閉装置。
【発明の詳細な説明】
【技術分野】
【０００１】
本発明は、家具部品の可動部のためのスナップタイプの開閉装置に関するものであり、とくにラチェット［ｒａｔｃｈｅｔ］装置に関する。
【背景技術】
【０００２】
用途に応じて設計された、家具のドアまたは抽斗（ひきだし）の開閉を促進する機能を持つラチェット装置が知られている。このようなラチェット装置は、閉動作時に僅かな対照の力［ｃｏｎｔｒａｓｔｉｎｇ  ｆｏｒｃｅ］を発生する。この力は弾性エレメントに蓄えられ、反対の開動作が行われる後のステップの際に開放することができる。
【０００３】
抽斗またはドアの開動作を促進するためのラチェットを使用する場合には、これらは適宜の公知の装置により閉状態に維持される。この公知の装置は、ラチェットから分離しているか又は、フック及びマグネットなどによりそれと一体化している。抽斗又はドアを開くためには、先ず、ラチェットを開放する程度の軽い押圧を抽斗又はドアに掛けることが必要である。この押圧により、閉動作の際に蓄えられた弾性エネルギーが引き出され、弾性エレメントにより生じた力が抽斗に対してその開放の向きに掛けられる。このような装置の利点は、ハンドルまたはこれに類するグリップなどの使用を回避できることである。ハンドルまたはこれに類するグリップなどは、その外形上または特性上の観点から、必ずしも好ましいものではない。
【０００４】
これらの装置の例として、欧州特許出願公開第１５９８５０９号明細書に記載の磁気ラチェットを用いたものがある。このラチェットでは、ラチェットハウジング内で引込位置と突出位置との間で移動させるのに必要なスライダーの回転を生じさせるために、ボールペンで使用されているタイプの制御装置が備えられている。スライダーに固定され端部が上記回転をガイドするカム経路に追従するようなピンを備えた制御装置を用いてもよい。
【０００５】
このラチェット装置においては、不利なことに、閉動作エレメントは、アセンブリーのためにはハウジングに固定好ましくは溶接しなければならない。この作業は、実使用の際の欠陥を避けるために検査することが必要であるので、コスト高である。
【先行技術文献】
【特許文献】
【０００６】
【特許文献１】欧州特許出願公開第１５９８５０９号明細書
【発明の概要】
【発明が解決しようとする課題】
【０００７】
そこで、以上のような欠点を克服できる、家具部品の可動部のためのスナップタイプの開閉装置を提供することが必要であると考えられる。
【０００８】
本発明の目的は、より迅速で、より安全で、よりコスト効率のよいアセンブリー（組立）を促進するような、ケーシング又は外部ハウジングを有する家具部品の可動部のためのスナップタイプの開閉装置を提供することである。
【課題を解決するための手段】
【０００９】
従って、本発明によれば、以上のような目的を達成するものとして、請求項１に記載されるように、
家具部品の可動部分のためのスナップタイプの開閉装置であって、
開放端を有し、前記開閉装置の部品を収容する内部空間を形成する、筒状ケーシングを備えており、
前記ケーシングは、前記開放端に関する末端部、前記開放端に関する基部、及び前記末端部と前記基部との間に位置する中央部を有しており、
前記末端部は前記中央部に適合されており、該中央部は前記基部に適合されている、
ことを特徴とする、家具部品の部分のためのスナップタイプの開閉装置、
が提供される。
【００１０】
有利なことには、本発明による装置は、適宜の弾性適合突起及びこれに対応するスロットを形成しており、これらを実質的に筒状で好ましくは円筒形状を持つ装置ケーシングを規定する部分の表面に設けているので、組立が極めて簡単である。
【００１１】
上記の弾性突起は、例えばフックまたは歯またはコッタまたはその他の適宜の係止エレメントであり、上記部分の外面または内面に設けることができる。
【００１２】
好ましくは、ケーシングを形成する対応部分の往復移動引込の経路長またはストロークの境界を定める係止部（ストップ）が設けられる。
【００１３】
ラチェットタイプのようなスナップタイプの本発明の開閉装置の前記部品は、
−開閉方向における並進駆動が可能で、該並進と同時に軸の周りで回転するように構成されている、細長いスライダー（５）、
−前記スライダー（５）と同軸状に配置され、前記可動部分（４）を閉位置に固定させるように構成された磁気エレメント（６）、
−前記スライダー（５）の端部と前記ケーシングの底部（１７）を形成する前記末端部との間に配置され、前記底部上にて前記スライダー（５）に弾性力を作用させてそれを開方向に並進させるように構成された、弾性手段（１４）、及び、
−前記スライダー（５）を回転させ並進させるためのカム動作手段（１０）、
を含む。
【００１４】
従属請求項は、本発明の実施態様を示す。
【００１５】
本発明の更なる特徴及び利点は、以下において、添付図面を参照して非制限的実施例として記載されているラチェットタイプの装置の好ましい但し非制限的な実施形態の詳細な説明から、一層明らかなものとなる。
【図面の簡単な説明】
【００１６】
【図１】本発明による装置の突出状態を示す断面図である。
【図２】本発明による装置の引込状態を示す断面図である。
【図３】本発明による装置の組立状態を示す斜視図である。
【図４】図３の装置の分解図である。
【図５】本発明による装置の部品の断面斜視図である。
【発明を実施するための形態】
【００１７】
図１乃至図４を参照すれば、ここには、磁気ラチェットタイプの開閉スナップ装置が概括的に符号１で指示されている。この開閉スナップ装置は、筒状の、好ましくは図３によく示されているように円筒形状の、外形を持つ。
【００１８】
装置１は、家具部品３の壁に例えばネジ止めにより又は接着により固着されたアダプター２内の適宜の座席すなわち台座［ｓｅａｔ］内に挿入されている。これにより、装置１と可動開閉エレメント４例えば家具のドアまたは抽斗の前面との相互作用が可能になる。
【００１９】
図示はしないが、別法として、装置１は、公知のように、家具部品３の壁自体に形成された穴内に挿入されてもよい。
【００２０】
装置の一端において、スライダー５及び磁気エレメント６が、互いに同軸に、家具部品の突き当て面から突出するようにして、配置されている。磁気エレメント６は、ピン形状のスライダー５を包囲しており、軸方向に短い距離だけ移動することが可能である。この前面部を用いることにより、可動開閉エレメント４に固定された強磁性体板７を吸着して、可動開閉エレメント４を閉状態に維持することができる。
【００２１】
スライダー５は、その軸の周りに回転可能であり、磁気エレメント６より長い距離にわたって長手方向にスライドすることができる。スライダー５は、コンテナー（容器）８の内面と対向する後部においては、拡張したヘッド９とスライダー自体の回転の制御又は駆動の装置１０とを備えている。これらは、スライダー５を引込位置と突出位置との間で移動させるために必要である。
【００２２】
このタイプの制御装置１０は、ボールペンにおいて使用されているものと同様である。本実施形態においては、制御装置１０は、スライダー５上に位置する突起１１，１２を持ち、傾斜した前面を持つ。この傾斜前面は、図５に示されているカムエレメント１３と相互作用する。カムエレメント１３は、コンテナー８の内周面に形成されており、スラストスプリング１４のバイアス下で、スライダー５の回転と突出位置（図１）と引込位置（図２）との間の移動とを引き起こす。このような装置は当業者に周知であるので、ここでは、これに関する更なる詳細な説明は省略する。
【００２３】
有利には、スプリング１４は、スライダー５に直接当接するのではなく、タペット１５を押す。タペット１５は、その前部において、スライダー５のより容易な回転を確保することが可能な球面キャップ１６を備えている。反対側においては、スプリング１４は、キャップ又は底部材１７の中央孔内に収容されている。
【００２４】
可動開閉エレメント４に面する部分では、装置１は、内部ネック１９を備えたソケット１８により終端している。ソケット１８は、磁気エレメント６の対応ステップ１９’のための係止部（ストップ）を形成し、また、家具部品上またはアダプター上の装置の正しいアセンブリー（組立）位置の境界を定めるように拡張された外側フランジ２０を形成している。
【００２５】
有利には、キャップ１７の外表面と軸方向に反対の向きに突出する弾性歯または弾性フック２１が設けられている。この弾性歯または弾性フック２１は、コンテナー８の表面に位置する対応スロット２２にスナップ挿入するのに好適な形状をなしている。同様に、コンテナー８の外表面に対して径方向に反対向きに突出する弾性歯または弾性フック２３が設けられている。この弾性歯または弾性フック２３は、ソケット１８の表面に位置する対応スロット２４にスナップ挿入するのに好適な形状をなしている。
【００２６】
図４には、本発明のラチェット装置を形成する部品が分解状態で示されている。これらの部品のアセンブリーは、以下のようにして容易に行うことができる。
【００２７】
タペット１５を、スプリング１４の巻きの中に挿入する。ここで、スプリング１４は、キャップ１７の中央孔内に導入されている。これらの部品を、キャップ１７の弾性歯２１がコンテナー８の対応スロット２２内に挿入されて取り外しが阻止されるようになるまで、スライダー５と共に、コンテナー８に導入する。有利には、少なくとも１つの係止部３０がキャップ１７上に設けられ、これにより第１のアセンブリーステップ（組立工程）の間のボデー８のストロークの境界を定めるように構成される。
【００２８】
反対側において、磁気エレメント６をスリーブ１８内に導入し、該スリーブ１８を、コンテナー８の弾性歯２３がソケット１８の対応スロット２４内に挿入されるまで、コンテナー８に挿入する。かくして、アセンブリーを、安全、迅速、及びコスト効率よく、完了することができる。有利には、更に少なくとも１つの係止部３１がボデー８に設けられ、これにより第２のアセンブリーステップの間のソケット１８のストロークの境界を定めるように構成される。
【００２９】
図示しない変形例においては、弾性歯または弾性フック２１，２３はそれぞれコンテナー８の内面に及びソケット１８の内面に設けられており、対応スロット２２，２４はそれぞれキャップ１７の表面に及びコンテナー８の表面に設けられている。
【００３０】
有利には、コンテナー８の外周面は、アダプター２上の装置のアセンブリーのための環状溝２５を備えている。図２における破線２６は、スライダー５を、その引込位置から開放して図１の突出位置へと突出させるのに必要な開閉エレメント４の移動を示す。図１の状態では、スライダー５は、板７を磁気エレメント６から離脱させている。
【図１】
2010502868.tif 000003
【図２】
2010502868.tif 000004
【図３】
2010502868.tif 000005
【図４】
2010502868.tif 000006
【図５】
2010502868.tif 000007
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
家具部品の可動部分（４）のためのスナップタイプの開閉装置であって、
開放端を有し、前記開閉装置の部品を収容する内部空間を形成する、筒状ケーシング（８，１７，１８）を備えており、
前記筒状ケーシングは、前記開放端に関する末端部（１７）、前記開放端に関する基部（１８）、及び前記末端部（１７）と前記基部（１８）との間に位置する中央部（８）を有しており、
前記末端部（１７）はその端部が前記中央部（８）内に部分的に挿入されており、該中央部（８）はその端部が前記基部（１８）内に部分的に挿入されている、
ことを特徴とする、家具部品の可動部分のためのスナップタイプの開閉装置。
【請求項２】
前記適合末端部（１７）の外面には、前記中央部（８）の表面に配置されている第１スロット（２２）に対応して、第１の弾性突起（２１）が設けられており、前記適合中央部（８）の外面には、前記基部（１８）の表面に配置されている第２スロット（２４）に対応して、第２の弾性突起（２３）が設けられていることを特徴とする、請求項１に記載の開閉装置。
【請求項３】
前記適合基部（１８）の内面には、前記中央部（８）の表面に配置されている第１スロットに対応して、第１の弾性突起が設けられており、前記適合中央部（８）の内面には、前記末端部（１７）の表面に配置されている第２スロット（２４）に対応して、第２の弾性突起（２３）が設けられていることを特徴とする、請求項１に記載の開閉装置。
【請求項４】
前記筒状ケーシングは実質上円筒形状を持つことを特徴とする、請求項２または３に記載の開閉装置。
【請求項５】
前記第１及び第２の突起は、それぞれの表面にて、径方向に反対向きに突出する、弾性を有する歯またはコッタまたはフックであることを特徴とする、請求項２または３に記載の開閉装置。
【請求項６】
前記開閉装置の部品は、
−開閉方向における並進駆動が可能で、該並進と同時に軸の周りで回転するように構成されている、細長いスライダー（５）、
−前記スライダー（５）と同軸状に配置され、前記可動部分（４）を閉位置に固定させるように構成された磁気エレメント（６）、
−前記スライダー（５）の端部と前記ケーシングの底部（１７）を形成する前記末端部との間に配置され、前記底部上にて前記スライダー（５）に弾性力を作用させてそれを開方向に並進させるように構成された、弾性手段（１４）、及び、
−前記スライダー（５）を回転させ並進させるためのカム動作手段（１０）、
を含むことを特徴とする、請求項１乃至５の何れか一項に記載の開閉装置。
【請求項７】
前記カム動作手段（１０）は、前記スライダー（５）に設けられた突起（１１，１２）を備えており、該突起（１１，１２）は前記ケーシングの中央部（８）の内面に形成されたカムエレメント（１３）と相互作用する傾斜前面を備えており、これにより、前記弾性手段（１４）のバイアス下での前記スライダー（５）の回転及び前記開閉位置の間での並進を引き起こすように構成されていることを特徴とする、請求項６に記載の開閉装置。
【請求項８】
前記弾性手段（１４）は、前記底部（１７）の中央孔内に対応第１端部が収容されているスプリングを有しており、該スプリングの対応第２端部がタペット（１５）に当接しており、該タペット（１５）は、その前部に前記スライダー（５）の容易回転を可能となす球状キャップ（１６）を備えていることを特徴とする、請求項７に記載の開閉装置。
【請求項９】
前記基部（１８）は、前記磁気エレメント（６）の対応ステップ（１９’）のための係止部を形成する内部ネック（１９）、及び、家具部品上の又はアダプター（２）上の前記開閉装置の正しいアセンブリー位置の境界を定めるように拡張された外側フランジ（２０）を備えたスリーブであることを特徴とする、請求項８に記載の開閉装置。
【国際調査報告】
2010502868.tif 000008
2010502868.tif 000009
2010502868.tif 000010